(57)【要約】【課題】バックライトの光量に影響を与えず、かつ、照明機器を追加することなく、暗所で周辺機器の表記文字の視認性を向上させる液晶ディスプレイパネルを提供する。【解決手段】液晶ディスプレイパネル１は、バックライト用の光を放射するバックライト用発光ダイオード素子２と、所定の波長域の紫外線を放射する紫外線発光ダイオード素子３とを混在して設けた発光部４と、バックライト用発光ダイオード素子２の発光と紫外線発光ダイオード３の発光とを個別に制御する制御部５とを備える。【選択図】図８
2011221240.tif 000002
【特許請求の範囲】
【請求項１】
バックライト用の光を放射するバックライト用発光ダイオード素子と、所定の波長域の紫外線を放射する紫外線発光ダイオード素子とを混在して設けた発光部と、
前記バックライト用発光ダイオード素子の発光と前記紫外線発光ダイオードの発光とを個別に制御する制御部とを備えた
ことを特徴とする液晶ディスプレイパネル。
【請求項２】
バックライト用の光を放射するバックライト用発光ダイオード素子と、所定の波長域の紫外線を放射する紫外線発光ダイオード素子とが混在して設けられた発光部と、前記バックライト用発光ダイオード素子の発光と前記紫外線発光ダイオードの発光とを個別に制御する制御部を有する液晶ディスプレイパネルと、
前記発光部によってバックライトを放射される面に、前記紫外線発光ダイオード素子から放射される所定の波長域の紫外線に反応して蛍光を発光する蛍光塗料が塗布された表記を有する機器とを備えた
ことを特徴とする液晶ディスプレイパネルを含む装置。
【請求項３】
機器には、発光部によってバックライトを放射される面に、前記紫外線発光ダイオード素子から放射される所定の波長域の紫外線を蓄光して発光する蓄光塗料が塗布された表記が設けられている
請求項２記載の液晶ディスプレイパネルを含む装置。
【請求項４】
液晶ディスプレイパネルの制御部は、所定の条件が成立すると、紫外線発光ダイオード素子を発光させる
請求項３記載の液晶ディスプレイパネルを含む装置。
【請求項５】
液晶ディスプレイパネルの発光部において、バックライト用の光を放射するバックライト用発光ダイオード素子と混在して設けられた紫外線発光ダイオード素子から、前記バックライト用発光ダイオード素子が放射する光とは別に、制御部による電気的な制御を行って所定の波長域の紫外線を放射し、
前記所定の波長域の紫外線に反応して蛍光を発光する蛍光塗料が塗布された表記を有する機器に、前記放射された紫外線を照射する
ことを特徴とする液晶ディスプレイパネルによる照射方法。
【請求項６】
紫外線発光ダイオード素子から放射される所定の波長域の紫外線を蓄光して発光する蓄光塗料が塗布された表記を有する機器に、液晶ディスプレイパネルから紫外線を照射する
請求項５記載の液晶ディスプレイパネルによる照射方法。
【発明の詳細な説明】
【技術分野】
【０００１】
本発明は、情報端末機器等に組み込まれる液晶ディスプレイパネル、液晶ディスプレイパネルを含む装置および液晶ディスプレイパネルによる照射方法に関する。
【背景技術】
【０００２】
パーソナルコンピュータ等の情報端末機器には、表示画面に液晶ディスプレイ（ＬＣＤ：Liquid Crystal Display）パネルを備え、キーボードを含めた周辺機器から操作を行うものがある。ＬＣＤパネルのバックライト用の光源には、従来は冷陰極管が使われてきたが、最近は、冷陰極管よりも消費電力が低い発光ダイオード（ＬＥＤ：Light Emitting Diode）が使われたＬＣＤパネルも増加している。
【０００３】
図９は、ＬＥＤをバックライト用の光源とする液晶ディスプレイパネルの構造例を示す分解斜視図である。図９に示す液晶ディスプレイ（ＬＣＤ）パネルは、液晶パネル５１、バックライト用ＬＥＤランプ５２、導光板５３、反射板５４、およびフレーム５５，５６を備えている。図９に示すＬＣＤパネルでは、バックライト用ＬＥＤランプ５２に含まれるＬＥＤが発する光が、導光板５３の内部を反射および屈折して拡散し、液晶パネル５１のバックライト光として、ＬＣＤパネルの表側に放射される。
【０００４】
しかし、このようなパーソナルコンピュータ等の情報端末機器を、夜間に、または暗室等の暗所で使用する場合には、キーボード等の周辺機器の文字表示や操作ボタン表記が見えにくく、機器の操作を行うために、外部照明や、表示文字部にバックライト照明を有する機器を準備する必要があった。しかし、外部照明やバックライト照明の使用は電力消費を伴うので、特にバッテリを利用する機器では、長時間駆動の妨げになっていた。
【０００５】
特許文献１には、低消費電力で暗所での操作性を向上させるキートップ照明装置が記載されている。特許文献１に記載されたキートップ照明装置は、バックライト光源の一部に紫外光フィルタを設けることによって、蛍光物質を印刷したキートップに、バックライトとともに紫外線を照射する。
【先行技術文献】
【特許文献】
【０００６】
【特許文献１】特開２００４−４７４１２号公報（段落００３１−００３２，００４０−００４１）
【発明の概要】
【発明が解決しようとする課題】
【０００７】
しかし、特許文献１に記載されたキートップ照明装置では、バックライト光源の一部に紫外光フィルタを設けているので、紫外光フィルタを通る光の分だけ、バックライトとしての光量が低下してしまう。また、バックライト光源と紫外線光源とを共用することになるので、バックライトの輝度を暗くした場合には、紫外線の光量も小さくなってしまい、キートップの蛍光物質を蛍光させる紫外線を確保できない可能性がある。
【０００８】
そこで、本発明は、バックライトの光量に影響を与えず、かつ、照明機器を追加することなく、暗所で機器の表記の視認性を向上させる液晶ディスプレイパネル、液晶ディスプレイパネルを含む装置および液晶ディスプレイパネルによる照射方法を提供することを目的とする。
【課題を解決するための手段】
【０００９】
本発明による液晶ディスプレイパネルは、バックライト用の光を放射するバックライト用発光ダイオード素子と、所定の波長域の紫外線を放射する紫外線発光ダイオード素子とを混在して設けた発光部と、バックライト用発光ダイオード素子の発光と紫外線発光ダイオードの発光とを個別に制御する制御部とを備えたことを特徴とする。
【００１０】
本発明による液晶ディスプレイパネルを含む装置は、バックライト用の光を放射するバックライト用発光ダイオード素子と、所定の波長域の紫外線を放射する紫外線発光ダイオード素子とが混在して設けられた発光部と、バックライト用発光ダイオード素子の発光と紫外線発光ダイオードの発光とを個別に制御する制御部を有する液晶ディスプレイパネルと、発光部によってバックライトを放射される面に、紫外線発光ダイオード素子から放射される所定の波長域の紫外線に反応して蛍光を発光する蛍光塗料が塗布された表記を有する機器とを備えたことを特徴とする。
【００１１】
本発明による液晶ディスプレイパネルによる照射方法は、液晶ディスプレイパネルの発光部において、バックライト用の光を放射するバックライト用発光ダイオード素子と混在して設けられた紫外線発光ダイオード素子から、バックライト用発光ダイオード素子が放射する光とは別に、制御部による電気的な制御を行って所定の波長域の紫外線を放射し、所定の波長域の紫外線に反応して蛍光を発光する蛍光塗料が塗布された表記を有する機器に、放射された紫外線を照射することを特徴とする。
【発明の効果】
【００１２】
本発明によれば、バックライトの光量に影響を与えず、かつ、照明機器を追加することなく、暗所で機器の表記の視認性を向上させることができる。
【図面の簡単な説明】
【００１３】
【図１】本発明による第１の実施形態の液晶ディスプレイパネルを含む機器の構成例を示す説明図である。
【図２】図１に示すＬＣＤパネルの構造を示す分解斜視図である。
【図３】図２に示すＬＣＤパネルにおけるバックライト用ＬＥＤランプの発光の様子を説明するためのブロック図である。
【図４】図２に示すＬＣＤパネルの模式的断面を示す断面図である。
【図５】本発明による第２の実施形態の液晶ディスプレイパネルを含む機器の一例を示す斜視図である。
【図６】本発明による第３の実施形態の液晶ディスプレイパネルを含む機器の一例を示す斜視図である。
【図７】図６に示す携帯電話機の開かれた状態例を示す斜視図である。
【図８】本発明による液晶ディスプレイパネルの主要部を示すブロック図である。
【図９】ＬＥＤをバックライト用の光源とする液晶ディスプレイパネルの構造例を示す分解斜視図である。
【発明を実施するための形態】
【００１４】
実施形態１．
図１は、本発明による第１の実施形態（実施形態１）の液晶ディスプレイパネルを含む機器の構成例を示す説明図である。図１を参照して、本発明による第１の実施形態の液晶ディスプレイパネル１２を含む機器について説明する。
【００１５】
モニタ１１は、表示画面に液晶ディスプレイ（ＬＣＤ）パネル１２を使用する液晶ディスプレイである。モニタ１１は、例えば、パーソナルコンピュータ等の情報端末機器に接続される。
【００１６】
ＬＣＤパネル１２は、モニタ１１の表示画面を構成する。図１に示す手前方向を、ＬＣＤパネル１２の表側とする。ＬＣＤパネル１２の構成については、図２〜図４を参照して後述する。
【００１７】
キーボード１３は、パーソナルコンピュータ等の情報端末機器に接続される。キーボード１３の各キーのキートップ文字は、所定の波長域の紫外線に反応して蛍光を発光する蛍光塗料が塗布されている。キーボード１３は、モニタ１１のＬＣＤパネル１２の前方向、すなわち、ＬＣＤパネル１２の表側に配置されているとする。
【００１８】
周辺機器１４，１５は、モニタ１１の周囲に配置される機器である。周辺機器１４，１５の表面には、機能を示すためのアイコンや文字等が印刷されており、所定の波長域の紫外線に反応して蛍光を発光する蛍光塗料が塗布されている。周辺機器１４，１５は、モニタ１１の前方向、すなわち、ＬＣＤパネル１２の表側に配置されているとする。なお、周辺機器１４，１５のボタンやスイッチ等に、蛍光塗料が塗布されていてもよい。
【００１９】
なお、キーボード１３や周辺機器１４，１５は、ＬＣＤパネル１２の表側に配置されていれば、ＬＣＤパネル１２と分かれた筐体である必要はなく、ＬＣＤパネル１２と同じ筐体であってもよい。
【００２０】
図２は、図１に示すＬＣＤパネルの構造を示す分解斜視図である。ＬＣＤパネル１２は、液晶パネル２１、バックライト用ＬＥＤランプ２２、導光板２３、反射板２４、フレーム２５，２６、紫外線ＬＥＤ２７および制御部（図示せず）を備えている。
【００２１】
バックライト用ＬＥＤランプ２２には、複数個のバックライト用ＬＥＤ素子が配置されている。バックライト用ＬＥＤランプ２２は、光源として、バックライト用ＬＥＤ素子と紫外線ＬＥＤ２７を有する。紫外線ＬＥＤ２７は、所定の波長域の紫外光（紫外線）を放射するＬＥＤ素子である。紫外線ＬＥＤ２７は、バックライト用ＬＥＤ素子に混在して設けられる。
【００２２】
バックライト用ＬＥＤランプ２２のバックライト用ＬＥＤ素子が発した光は、液晶パネル２１を後ろから照射するバックライト光となる。紫外線ＬＥＤ２７が発した紫外線は、バックライト用ＬＥＤランプ２２のバックライト用ＬＥＤ素子によるバックライト光とともに、液晶パネル２１を後ろから照射する。
【００２３】
図３は、図２に示すＬＣＤパネルにおけるバックライト用ＬＥＤランプの発光の様子を説明するためのブロック図である。図３に示すように、制御部２９は、バックライト用ＬＥＤランプ２２のバックライト用ＬＥＤ素子２８と紫外線ＬＥＤ２７に対して、それぞれの素子をどれくらいの光量で発光させるかを電気的に制御する。すなわち、制御部２９は、バックライト用ＬＥＤ素子２８と紫外線ＬＥＤ２７を別々に制御することができる。例えば、制御部２９は、バックライト用ＬＥＤ素子２８による発光の光量を抑えた場合であっても、紫外線ＬＥＤ２７による発光の光量を変えずに保つように制御できる。このとき、液晶パネル２１を通して照射されるバックライト光は弱くなるが、液晶パネル２１を通して紫外線ＬＥＤ２７から放射される紫外線の強さは変わらない。
【００２４】
導光板２３は、バックライト用ＬＥＤランプ２２の光を拡散させる。反射板２４は、導光板２３によって拡散されたバックライト用ＬＥＤランプ２２の光を反射する。フレーム２５，２６は図２に示す各部材を固定する。
【００２５】
図４は、図２に示すＬＣＤパネルの模式的断面を示す断面図である。図４に示すように、バックライト用ＬＥＤランプ２２が発した光は、導光板３３の内部を反射および屈折して拡散し、液晶パネル２１のバックライト光として、ＬＣＤパネル１２の表側に放射される。
【００２６】
ここで、紫外線ＬＥＤ２７はバックライト用ＬＥＤランプ２２のＬＥＤ素子に混在して設けられているので、紫外線ＬＥＤ２７が放射する紫外光も、導光板３３の内部を反射および屈折して拡散し、バックライト光とともに、液晶パネル２１の裏側からＬＣＤパネル１２の表側に広範囲に放射される。
【００２７】
モニタ１１の表示画面から放射された紫外光（紫外線）は、モニタ１１の前方向に配置されたキーボード１３、周辺機器１４，１５に照射する。モニタ１１の表示画面から照射された紫外線は、キーボード１３のキートップ文字、周辺機器１４，１５のアイコンや文字等に使用された蛍光塗料を励起させる。その結果、キートップ文字、アイコンおよび文字等が発光してみえる。
【００２８】
以上に説明したように、ＬＣＤパネル１２では、バックライト用ＬＥＤランプ２２の中に混在させることによって、ＬＣＤパネル１２の表側に放射されるバックライト光の中に紫外線成分を混入することができる。紫外線成分が混入したバックライト光は、蛍光塗料を塗布されたキーボード１３のキートップの文字等を、外部照明等を必要とせずに、暗所で発光させることができ、当該文字等の視認性を向上させることができる。また、外部照明等を必要としないので、外部照明による電力消費も発生せず、省エネルギー効果を期待することができる。
【００２９】
また、ＬＣＤパネル１２では、紫外線ＬＥＤ２７が放射する紫外光を導光板３３内で拡散することによって、ＬＣＤパネル２０の表側に広範囲に放射するので、キーボード１１のキートップだけでなく、他の周辺機器１４，１５のアイコンや文字等にも、十分な量の紫外線を照射することができ、視認性の向上が期待できる。
【００３０】
また、ＬＣＤパネル１２では、紫外線ＬＥＤ２７が、バックライト用ＬＥＤランプ２２のバックライト用のＬＥＤ素子に混在して設けられるので、本来のバックライト用ＬＥＤ素子２８によるバックライトの光量に影響を与えずに所定の紫外線の光量を放射することができる。
【００３１】
また、制御部２９は、バックライト用ＬＥＤ素子２８と紫外線ＬＥＤ２７とを別々に制御することができるので、バックライト用ＬＥＤ素子２８の光量を下げてバックライトの輝度を落とした場合でも、紫外線ＬＥＤ２７の光量を変更しない制御が可能である。このとき、紫外線ＬＥＤ２７は、バックライトの輝度とは関係なく、周辺機器の文字等に使用された蛍光塗料を励起させるために十分な紫外線の光量を放射することができる。
【００３２】
実施形態２．
図５は、本発明による第２の実施形態（実施形態２）の液晶ディスプレイパネルを含む機器の一例を示す斜視図である。図５を参照して、本発明による第２の実施形態の液晶ディスプレイパネル３２を含む機器について説明する。
【００３３】
パーソナルコンピュータ３１は、例えば、ノートブック型のパーソナルコンピュータであって、表示画面として液晶ディスプレイ（ＬＣＤ）パネル３２を備える。また、パーソナルコンピュータ３１は、ユーザによる操作を行うためのキーボード３３を備える。なお、ＬＣＤパネル３２の構成は、図２〜図４に示すＬＣＤパネル１２の構成と同様の構成とする。
【００３４】
キーボード３３のキートップ文字、各種機能の表記文字およびアイコン等は、所定の波長域の紫外線に反応して蛍光を発光する蛍光塗料を用いて印字されている。具体的には、例えば、キートップ文字だけでなく、電源やバッテリ用のインジケータランプの識別文字等も、蛍光塗料を用いて印字されている。
【００３５】
以下に、パーソナルコンピュータ３１の動作の一例を説明する。
【００３６】
パーソナルコンピュータ３１が動作しているときに、ＬＣＤパネル３２から紫外線が放射される。ＬＣＤパネル３２から放射された紫外線は、キーボード３３のキートップ文字、各種機能の表記文字およびアイコン等に用いられている蛍光塗料を励起させる。そして、キーボード３３のキートップ文字、各種機能の表記文字およびアイコン等は、各々にバックライト用の光源を搭載することなしに、暗所で発光することができる。
【００３７】
このようなパーソナルコンピュータ３１では、暗所でもキーボード３３のキートップ文字、各種機能の表記文字およびアイコン等が発光するので、視認性を向上させることができる。また、各キーのバックライト用の光源を必要としないので、各キーのバックライト用の電力が不要となり、パーソナルコンピュータ３１における電力消費の低減が期待でき、バッテリ駆動時間の延伸に貢献できる。
【００３８】
実施形態３．
図６は、本発明による第３の実施形態（実施形態３）の液晶ディスプレイパネルを含む機器の一例を示す斜視図である。図７は、図６に示す携帯電話機の開かれた状態例を示す斜視図である。図６および図７を参照して、本発明による第３の実施形態の液晶ディスプレイパネル４２を含む機器について説明する。
【００３９】
携帯電話機４１は、折り畳み式の携帯電話機であり、図６では折り畳まれた状態を、図７では開かれた状態を示している。携帯電話機４１は、表示画面として液晶ディスプレイ（ＬＣＤ）パネル４２を備える。また、携帯電話機４１は、ユーザによる操作を行うための操作ボタン４３を備える。なお、ＬＣＤパネル４２の構成は、図２〜図４に示すＬＣＤパネル１２の構成と同様の構成とする。
【００４０】
キーボード４３のキートップ文字、各種機能の表記文字およびアイコン等は、所定の波長域の紫外線を蓄光して発光する蓄光塗料が塗布されている。具体的には、例えば、キートップ文字や、電源バッテリ用のインジケータランプの識別文字等に、蓄光塗料が塗布されている。
【００４１】
以下に、携帯電話機４１の動作の一例を説明する。
【００４２】
折り畳まれている携帯電話機４１は、例えば、電話を着信または電子メールを受信して、着信音を鳴らすときに、図６に示すように、ＬＣＤパネル４２を点灯させる。このとき、ＬＣＤパネル４２は、紫外線ＬＥＤ２７を所定の時間点灯させ、バックライトを所定の光量で点灯させる。
【００４３】
図６に示すように、ＬＣＤパネル４２が折り畳まれた状態でバックライトの点灯が行われている携帯電話機４１は、バックライトに含まれる紫外線を操作ボタン４３に照射する。ＬＣＤパネル４２に対向する操作ボタン４３では、照射された紫外線に反応して、キートップ文字、各種機能の表記文字およびアイコン等に塗布された蓄光塗料が、蓄光したのち発光する。
【００４４】
そして、図７に示すように、携帯電話機４１が開かれると、操作ボタン４３のキートップ文字、各種機能の表記文字およびアイコン等は、発光している状態になる。
【００４５】
なお、携帯電話機４１は、電話や電子メールの着信時だけでなく、携帯電話機４１が開かれる可能性が高いと判断される状況を示す所定の条件が成立した場合（例えば、アラーム鳴動時）において、紫外線ＬＥＤ２７を点灯させてもよい。また、携帯電話機４１のサイドキー（図示せず）を押下されるなどの所定の操作によって、紫外線ＬＥＤ２７を点灯させてもよい。
【００４６】
このような携帯電話機４１では、携帯電話機４１を開いて使用する場合に、操作ボタン４３のキートップ文字、各種機能の表記文字およびアイコン等が、各ボタン等のバックライトを点灯させることなく発光することができるので、視認性を向上させることができる。また、各ボタン等のバックライト用の光源を使用しないので、各ボタン等のバックライト用の電力が不要となり、携帯電話機４１における電力消費の低減が期待でき、バッテリ駆動時間の延伸に貢献できる。
【００４７】
なお、条件が成立してＬＣＤパネル４２を点灯させる場合に、携帯電話機４１の制御部は、バックライト用ＬＥＤ素子は発光させずに、紫外線ＬＥＤ２７だけを、所定の時間、所定の光量で発光させるとしてもよい。このような携帯電話機４１では、バックライト用ＬＥＤ素子を発光させないことによって、さらに消費電力を軽減することができる。
【００４８】
図８は、本発明による液晶ディスプレイパネルの主要部を示すブロック図である。図８に示すように、液晶ディスプレイパネル１（例えば、図１に示す液晶ディスプレイパネル１２に相当）は、バックライト用の光を放射するバックライト用発光ダイオード素子２（例えば、図２に示すバックライト用ＬＥＤランプ２２のバックライト用ＬＥＤ素子に相当）と、所定の波長域の紫外線を放射する紫外線発光ダイオード素子３（例えば、図２に示す紫外線ＬＥＤ２７に相当）とを混在して設けた発光部４（例えば、図２に示すバックライト用ＬＥＤランプ２２に相当）と、バックライト用発光ダイオード素子２の発光と紫外線発光ダイオード３の発光とを個別に制御する制御部５（例えば、第１の実施形態の液晶ディスプレイパネルの制御部に相当）とを備えるように構成されている。
【００４９】
また、上記の各実施形態では、以下の（１）〜（３）に示すような液晶ディスプレイパネルまたは液晶ディスプレイパネルを含む装置も開示されている。
【００５０】
（１）バックライト用の光を放射するバックライト用発光ダイオード素子と、所定の波長域の紫外線を放射する紫外線発光ダイオード素子とが混在して設けられた発光部と、バックライト用発光ダイオード素子の発光と紫外線発光ダイオードの発光とを個別に制御する制御部を有する液晶ディスプレイパネルと、発光部によってバックライトを放射される面に、紫外線発光ダイオード素子から放射される所定の波長域の紫外線に反応して蛍光を発光する蛍光塗料が塗布された表記（例えば、図１に示すキーボード１３のキートップ文字）を有する機器とを備えたことを特徴とする液晶ディスプレイパネルを含む装置（例えば、実施形態１におけるモニタ１１とキーボード１３によって実現される。）。
【００５１】
（２）機器には、発光部によってバックライトを放射される面に、紫外線発光ダイオード素子から放射される所定の波長域の紫外線を蓄光して発光する蓄光塗料が塗布された表記（例えば、図７に示す操作ボタン４３のキートップ文字）が設けられている液晶ディスプレイパネルを含む装置（例えば、実施形態３の携帯電話機４１によって実現される。）。
【００５２】
（３）液晶ディスプレイパネルの制御部は、所定の条件（例えば、実施形態３の携帯電話機４１が電話や電子メールを着信した場合）が成立すると、紫外線発光ダイオード素子を発光させる液晶ディスプレイパネルを含む装置。
【産業上の利用可能性】
【００５３】
本発明を、夜間や暗室などの暗所で使用される表示画面を有するパーソナルコンピュータや情報端末機器等に適用できる。
【００５４】
また、ＬＥＤ照明器具に含まれる複数のＬＥＤの中に、紫外線ＬＥＤを混在させれば、ＬＥＤ照明器具の照度を低くしたときであっても、紫外線ＬＥＤによる紫外線の照射によって、紫外線に反応して蛍光する蛍光塗料を用いて書かれた文字や目印用部品等の視認性を向上させることができることから、本発明をＬＥＤ照明器具等にも適用することができる。
【００５５】
さらに、文字に蓄光塗料を使用すれば、ＬＥＤ照明器具の消灯後にも、蓄光塗料を用いて書かれた文字や目印用部品等を一定時間発光させることができる。
【符号の説明】
【００５６】
１    液晶ディスプレイパネル
２    バックライト用発光ダイオード素子
３    紫外線発光ダイオード素子
４    発光部
５    制御部
１１  モニタ
１２  液晶ディスプレイパネル
１３  キーボード
１４，１５  周辺機器
２１  液晶パネル
２２  バックライト用ＬＥＤランプ
２３  導光板
２４  反射板
２５，２６  フレーム
２７  紫外線ＬＥＤ
２８  バックライト用ＬＥＤ素子
２９  制御部
３１  パーソナルコンピュータ
３２  液晶ディスプレイパネル
３３  キーボード
４１  携帯電話機
４２  液晶ディスプレイパネル
４３  操作ボタン
５１  液晶パネル
５２  バックライト用ＬＥＤ
５３  導光板
５４  反射板
５５，５６  フレーム
【図１】
2011221240.tif 000003
【図２】
2011221240.tif 000004
【図３】
2011221240.tif 000005
【図４】
2011221240.tif 000006
【図５】
2011221240.tif 000007
【図６】
2011221240.tif 000008
【図７】
2011221240.tif 000009
【図８】
2011221240.tif 000010
【図９】
2011221240.tif 000011